【手続補正書】
【提出日】令和3年11月22日(2021.11.22)
【手続補正１】
【補正対象書類名】明細書
【補正対象項目名】全文
【補正方法】変更
【補正の内容】
【発明の詳細な説明】
【発明の名称】データ伝送方法、デバイス及びコンピュータ記憶媒体
【技術分野】
【０００１】
本発明の実施例は、無線通信技術分野に関し、特に、データ伝送方法、デバイス及びコンピュータ記憶媒体に関する。
【背景技術】
【０００２】
車両ネットワークシステムは、ロングタームエボリューション( ＬＴＥ、Ｌｏｎｇ Ｔｅｒｍ Ｅｖｏｌｕｔｉｏｎ ) -デバイスツーデバイス( ｄ２ｄ、Ｄｅｖｉｃｅ ｔｏ Ｄｅｖｉｃｅ )に基づくＳＬ （ Ｓｉｄｅｌｉｎｋ )伝送技術を採用し、従来のＬＴＥシステムにおける基地局を介した通信データの受信または送信方式とは異なり、端末間の直接通信方式を採用するので、より高いスペクトル効率およびより低い伝送遅延を有する。
【０００３】
車両ネットワーク技術( Ｖ２Ｘ、Ｖｅｈｉｃｌｅ−ｔｏ−Ｅｖｅｒｙｔｈｉｎｇ )は、第３世代パートナーシッププロジェクト( ３ ＧＰＰ、ｔｈｅ３ ｒｄ Ｇｅｎｅｒａｔｉｏｎ Ｐａｒｔｎｅｒｓｈｉｐ Ｐｒｏｊｅｃｔ ) Ｒｅｌ-１４において標準化されており、モード３およびモード４の２つの伝送モードが定義されている。モード３では、端末の伝送リソースは基地局から割り当てられる。モード４では、端末は、センシング（ｓｅｎｓｉｎｇ）＋予約( ｒｅｓｅｒｖａｔｉｏｎ )方式を用いて伝送リソースを決定する。
【０００４】
現在の車両ネットワークシステムでは、受信側からのフィードバックされたハイブリッド自動再送要求( ＨＡＲＱ、Ｈｙｂｒｉｄ Ａｕｔｏｍａｔｉｃ Ｒｅｐｅａｔ ｒｅＱｕｅｓｔ )メカニズムもサポートできないため、Ｖ２Ｘ技術の場合、ＨＡＲＱメカニズムに基づくデータ伝送を可能にすることが解決すべき課題である。
【発明の概要】
【０００５】
本発明の実施例は、データ伝送方法、デバイス及びコンピュータ記憶媒体を提供する。
【０００６】
本発明の実施例は、以下の通りである。
【０００７】
第１の態様として、本発明の実施例は、データ伝送方法を提供し、前記方法はユーザーデバイスの送信側に応用され、
伝送すべきデータのハイブリッド自動再送要求ＨＡＲＱ再送に対する構成情報に基づいて、前記伝送すべきデータのＨＡＲＱ再送モードを決定することと、
前記ＨＡＲＱ再送モードに応じて、前記伝送すべきデータをユーザーデバイスの受信側に伝送することとを含む。
【０００８】
第２の態様として、本発明の実施例は、データ伝送方法を提供し、前記方法がユーザーデバイスの受信側に応用され、前記方法は、
ユーザーデバイスの送信側により送信された、伝送すべきデータのＨＡＲＱ伝送モードを受信することと、
前記伝送すべきデータのＨＡＲＱ伝送モードに基づいて、前記伝送すべきデータのＨＡＲＱ再送データを受信することとを含む。
【０００９】
第３の態様として、本発明の実施例は、データ伝送方法を提供し、前記方法はネットワーク側のデバイスに応用され、前記方法は、
ユーザーデバイスの送信側に構成情報を送信することを含み、ここで、前記構成情報は、伝送すべきデータのハイブリッド自動再送要求ＨＡＲＱ再送モードを決定するために使用される。
【００１０】
第４の形態として、本発明の実施例は、ユーザーデバイスの送信側を提供し、決定部及び伝送部を含み、ここで、前記決定部は、伝送すべきデータのＨＡＲＱ再送に対する構成情報に基づいて、前記伝送すべきデータのＨＡＲＱ再送モードを決定するように構成され、
前記伝送部は、前記ＨＡＲＱ再送モードに応じて、前記伝送すべきデータをユーザーデバイスの受信側に伝送するように構成される。
【００１１】
第５の態様として、本発明の実施例は、ユーザーデバイスの受信側を提供し、第２の受信部及び第３の受信部を含み、ここで、 
前記第２の受信部は、ユーザーデバイスの送信側により送信された、伝送すべきデータのＨＡＲＱ伝送モードを受信するように構成され、
前記第３の受信部は、前記伝送すべきデータのＨＡＲＱ伝送モードに基づいて、前記伝送すべきデータのＨＡＲＱ再送データを受信するように構成される。
【００１２】
第６の態様として、本発明の実施例は、ネットワーク側のデバイスを提供し、送信部を含み、ユーザーデバイスの送信側に構成情報を送信するように構成され、ここで、前記構成情報は、伝送すべきデータのハイブリッド自動再送要求ＨＡＲＱ再送モードを決定するために使用される。
【００１３】
第７の態様として、本発明の実施例がユーザーデバイスの送信側を提供し、第１のネットワークインタフェース、第１のメモリ及び第１のプロセッサを含み、ここで、
前記第１のネットワークインタフェースは、他の外部ネットワーク要素との間でメッセージを送受信する過程において、信号の送受信を行うように構成され、
前記第１のメモリは、前記第１のプロセッサ上で実行可能なコンピュータプログラムを記憶するように構成され、
前記第１のプロセッサは、前記コンピュータプログラムを実行する際に、第１の態様に記載の方法のステップを実行するように構成されている。
【００１４】
第８の態様として、本発明の実施例がユーザーデバイスの受信側を提供し、第２のネットワークインタフェース、第２のメモリ及び第２のプロセッサを含み、ここで、
前記第２のネットワークインタフェースは、他の外部ネットワーク要素との間でメッセージを送受信する過程において、信号の送受信を行うように構成され、
前記第２のメモリは、前記第２のプロセッサ上で実行可能なコンピュータプログラムを記憶するように構成され、
前記第２のプロセッサは、前記コンピュータプログラムを実行する際に、第２の態様に記載の方法のステップを実行するように構成されている。
【００１５】
第９の態様として、本発明の実施例がネットワーク側のデバイスを提供し、第３のネットワークインタフェース、第３のメモリ及び第３のプロセッサを含み、ここで、
前記第３のネットワークインタフェースは、他の外部ネットワーク要素との間でメッセージを送受信する過程において、信号の送受信を行うように構成され、
前記第３のメモリは、前記第３のプロセッサ上で実行可能なコンピュータプログラムを記憶するように構成され、
前記第３のプロセッサは、前記コンピュータプログラムを実行する際に、第３の態様に記載の方法のステップを実行するように構成されている
第１０態様として、本発明の実施例がコンピュータ記憶媒体を提供し、第１の態様、第２の態様、又は第３の態様に記載の方法のステップを少なくとも１つのプロセッサによって実行されるデータ伝送プログラムを格納した。
【００１６】
本発明の実施例は、データ伝送方法、デバイス、及びコンピュータ記憶媒体を提供し、本発明の実施例に係る技術的解決策では、構成情報に基づいて伝送すべきデータのＨＡＲＱ再送モードを決定し、ＨＡＲＱ再送モードに従って伝送すべきデータを伝送することによって、Ｖ２Ｘ技術に対するＨＡＲＱメカニズムに基づくデータ伝送を実現する。伝送すべきデータの全てについてＨＡＲＱ再送を行う必要がなく、チャネルリソースの浪費を回避し、チャネルリソースの利用効率と送信データの正しい受信率をバランス化させる。
【図面の簡単な説明】
【００１７】
【図１】車両ネットワークにおけるモード３の模式図である。
【図２】車両ネットワークにおけるモード４の模式図である。
【図３】本発明の実施例におけるデータ伝送方法のフローチャートである。
【図４】本発明の実施例における他のデータ伝送方法のフローチャートである。
【図５】本発明の実施例における他のデータ伝送方法のフローチャートである。
【図６】本発明の実施例におけるデータ伝送の具体的なフローチャートである。
【図７Ａ】本発明の実施例におけるユーザーデバイスの送信側の構成図である。
【図７Ｂ】本発明の実施例における他のユーザーデバイスの送信側の構成図である。
【図８】本発明の実施例におけるユーザーデバイスの送信側の具体的なハードウェア構成図である。
【図９】本発明の実施例におけるユーザーデバイスの受信側の構成図である。
【図１０】本発明の実施例におけるユーザーデバイスの受信側の具体的なハードウェア構成図である。
【図１１】本発明の実施例におけるネットワーク側のデバイスの構成図である。
【図１２】本発明の実施例におけるネットワーク側のデバイスの具体的なハードウェア構成図である。
【図１３】本発明の実施例におけるデータ伝送システムの構成図である。
【発明を実施するための形態】
【００１８】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１９】
以下、本発明の実施例の技術的解決策を理解しやすくするために、車両ネットワークにおけるモード３とモード４とをそれぞれ説明する。
【００２０】
モード３：図１に示すように、車載端末の伝送リソースは、ＬＴＥでは、進化型基地局( ｅＮＢ、ｅｖｏｌｖｅｄ ＮｏｄｅＢ )や新ラジオ( ＮＲ、Ｎｅｗ Ｒａｄｉｏ )では、５Ｇ基地局( ｇＮＢ )などの基地局から割り当てられ、具体的に、基地局は、下りリンク( ＤＬ、Ｄｏｗｎ Ｌｉｎｋ ）で、Ｇｒａｎｔリソースを示す制御メッセージを車載端末に送信し、車載端末は、基地局から割り当てられたリソースに従ってＳLにデータを送信する。モード３では、車載端末に対する１回の伝送のリソースの割り当てが行われてもよいし、端末に対する半静的な送信のリソースの割り当てが行われてもよい。
【００２１】
モード４：図２に示すように、車載端末は、センシング＋予約の伝送方式を採用する。車載端末は、リソースプールにおいて利用可能な伝送リソース集合をセンシングすることにより取得し、車載端末は、この伝送リソース集合からランダムに１つのリソースを抽出してデータの伝送を行う。車載端末は、車載ネットワークシステムにおけるサービスの周期性の特徴を有するから、半静的伝送方式が採用されることが多く、即ち、１つの伝送リソースを選択した後、複数の伝送周期にわたってこのリソースを使用し続けることで、リソースの再選択や衝突の確率を下げる。車載端末は今回伝送した制御情報に次回送信したリソースを予約する旨の情報を載せることで、他の端末は当該車載端末の制御情報を検出することで当該リソースが当該車載端末に予約使用されているか否かを判断することができ、リソースの衝突の低減を図ることができる。
【００２２】
上記２つの態様の例示的な説明について、Ｖ２Ｘ技術では、送信側がデータ送信を行った後、その送信データを受信する受信側の数は１つよりも多くてもよく、すなわち、データ伝送シナリオは、送信データがマルチキャストされ得るシナリオであり得、このシナリオでは、ＨＡＲＱメカニズムに基づくデータ伝送が達成される必要がある場合、送信側は、１つの受信側が正しい送信データを受信しない限り、再送信を行う必要がある。これはチャネルリソースの消費量が大きい。
【００２３】
従って、どのようにチャネルリソースの利用効率と送信データの適正な受信効率とがバランス化されることは、Ｖ２Ｘ技術においてＨＡＲＱメカニズムによるデータ伝送を実現する重要な課題となっている。この問題に対して、本発明の実施例は、以下の実施例によって説明される。
【００２４】
なお、本発明の実施例のすべての技術的態様は、車両ネットワークシステムだけでなく、他の端末間の通信システムにも適用可能であり、本発明の実施例における端末は、車載端末、ハンドヘルド端末、ＰＤＡ （ Ｐｅｒｓｏｎａｌ Ｃｏｍｐｕｔｅｒ ）、Ｐｅｒｓｏｎａｌ Ｄｉｇｉｔａｌ Ａｓｓｉｓｔａｎｔ (ウェアラブル端末)などであってもよく、本発明の実施例におけるネットワークは、ＮＲネットワーク、ＬＴＥネットワークなどであってもよい。
【００２５】
実施例一
図３を参照すると、本発明の実施例におけるデータ伝送方法を示し、この方法がユーザーデバイスの送信側に応用され、該方法は、以下のステップを含み、
Ｓ３０１において、伝送すべきデータのハイブリッド自動再送要求ＨＡＲＱ再送に対する構成情報に基づいて、前記伝送すべきデータのＨＡＲＱ再送モードを決定し、
Ｓ３０２において、前記ＨＡＲＱ再送モードに応じて、前記伝送すべきデータをユーザーデバイスの受信側に伝送する。
【００２６】
図３に示す技術的解決策によれば、ユーザーデバイスの送信側において、構成情報に基づいて伝送すべきデータのＨＡＲＱ再送モードを決定し、ＨＡＲＱ再送モードに従って伝送すべきデータを伝送することによって、伝送すべきデータの全てにＨＡＲＱ再送を適用する必要がなく、チャネルリソースの浪費を回避し、チャネルリソース利用率と送信データの正しい受信率をバランス化させることができる。
【００２７】
具体的に、ＨＡＲＱ再送モードは、伝送すべきデータに対してＨＡＲＱ再送を行い、又は、伝送すべきデータに対してＨＡＲＱ再送を行わないことを含む。これにより、図３に示す技術案に基づいて、実現可能な形態において、前記伝送すべきデータのＨＡＲＱ再送に対する構成情報に基づいて、前記伝送すべきデータのＨＡＲＱ再送モードを決定することは、
前記構成情報を受信し、
構成情報に基づいて、前記伝送すべきデータがＨＡＲＱ再送を必要とするかどうかを判断することを含む。
【００２８】
上記の実施例について、構成情報は、ネットワークにおけるユーザーデバイスの送信側以外のネットワーク側のデバイスからユーザーデバイスの送信側に送信されてもよいし、予めユーザーデバイスの送信側に構成されていてもよい。構成情報が、ユーザーデバイスの送信側以外のネットワーク側のデバイスから送信される場合、具体的な実行過程において、好ましくは、ネットワークプロトコルレイヤの上位デバイスは、設定された要件情報に基づいて当該構成情報を決定してユーザーデバイスの送信側に送信し、又は、好ましくは、アクセスネットワークデバイスは、ＨＡＲＱ再送が必要な条件に基づいて当該構成情報を決定してユーザーデバイスの送信側に送信する。この実施例ではその説明を省略する。
【００２９】
なお、構成情報の具体的な機能は、ＨＡＲＱ再送を行うか否かの判定規則を示すものであってもよく、これにより、ユーザーデバイスの送信側は、全ての伝送すべきデータをこの判定規則に従って判定し、その判定結果に基づいて、伝送すべきデータのいずれか又はある種類についてＨＡＲＱ再送を行うか否かを決定することができ、また、伝送すべきデータのいずれか又はある種類についてＨＡＲＱ再送を行わないか否かを決定することができる。
【００３０】
任意選択で、構成情報によって示す判定規則に基づいて、構成情報は、目標サービスがＨＡＲＱ再送を必要とするという指示、または、目標アドレスがＨＡＲＱ再送を必要とするという指示を含み、したがって、上記の実施例において、構成情報に応じて、伝送すべきデータがＨＡＲＱ再送を必要とするか否かを決定することは、
前記伝送すべきデータには目標サービスがＨＡＲＱ再送を必要とする指示又は前記目標アドレスがＨＡＲＱ再送を必要とする指示が含まれるかどうかを検出し、
含まれる場合、前記伝送すべきデータに対するＨＡＲＱ再送を行うと決定し、
含まれない場合、前記伝送すべきデータに対するＨＡＱＲ再送を行わないと決定することとを含む。
【００３１】
上記の選択可能な例では、構成情報によって示す判定規則は、特定のサービス要求に対応する伝送すべきデータの属性情報に基づいて記述され、例えば、ユーザーデバイスの送信側は、伝送すべきデータを送信するとき、伝送すべきデータのデータ構造に、伝送すべきデータの目標サービス又は目標アドレスがＨＡＲＱ再送を必要とすることを示すための指示情報フィールド又はバイトを追加することができる。したがって、伝送すべきデータには目標サービスがＨＡＲＱ再送を必要とする指示又は前記目標アドレスがＨＡＲＱ再送を必要とする指示が含まれるかどうかを検出することで、伝送すべきデータに対してＨＡＲＱ再送を行うかどうかを決定する。
【００３２】
任意選択で、構成情報が示す判定規則に基づいて、前記構成情報は、目標アドレス又は目標サービスがＨＡＲＱ再送を必要とする信頼度記述情報を含む。従って、上記の実現形態において、前記構成情報に基づいて前記伝送すべきデータがＨＡＲＱ再送を必要とするかどうかを判断することは、
前記伝送すべきデータの信頼度要求が前記目標アドレス又は目標サービスがＨＡＲＱ再送を必要とする信頼度記述情報を満たすかどうかを検出することと、
満たす場合、前記伝送すべきデータに対するＨＡＲＱ再送を行うと決定することと、
満たさない場合、前記伝送すべきデータに対するＨＡＲＱ再送を行わないと決定することとを含む。
【００３３】
上記の例では、構成情報によって示す判定規則は、信頼性要求に基づいて記述されるので、伝送すべきデータの信頼性要求が、目標アドレス又は目標サービスがＨＡＲＱ再送を必要とする信頼度記述情報に合致するかどうかを検出することができる。信頼度記述情報に関して、具体的に、伝送すべきデータの具体的な信頼度要求があり、例えば、誤り率が設定された信頼度閾値より低いこと、伝送成功率が設定された信頼度閾値より高いことなどであり、この場合、ユーザーデバイスの送信側は、伝送すべきデータの特定のサービス又は目標アドレスに対する伝送信頼度を達成するためにＨＡＲＱ再送を行うことができる。例えば、ユーザーデバイスの送信側における車両の故障を警告する場合、車両ネットワークの他の車両の走行に影響を与えるので、これに基づく警告業務のデータ伝送には、高い信頼性が要求されるので、ユーザーデバイスの送信側における伝送すべきデータが警告情報である場合、この警告サービスのデータ伝送の信頼性要件は、誤り率が１％未満、設定された誤り率の信頼性閾値が５％、従って、警告情報の伝送にはＨＡＲＱ再送が必要である。また、例えば、データ伝送の目標がデータ中継ノードである場合、この中継ノードの車両ネットワークでのデータ伝送の重要度に応じて、中継ノードに送信するデータに高い信頼性が要求されるため、伝送すべきデータの送信成功率を９９％よりも高く設定し、設定された伝送成功率の閾値が９５％であり、ユーザーデバイスの送信側が中継ノードに伝送すべきデータを送信する場合、伝送すべきデータの目標アドレスに応じて中継ノードを設定し、伝送すべきデータにＨＡＲＱ再送を行う必要がある。なお、構成情報が示す判定規則は、他のサービス要件に対応する属性情報に基づいて記述されてもよく、この実施例でも説明を省略する。
【００３４】
任意選択で、構成情報が示す判定規則に基づいて、構成情報は、ＨＡＲＱ再送を必要とする時に対応するネットワーク環境指標閾値を含む。従って、上記の実現形態において、前記構成情報に基づいて前記伝送すべきデータがＨＡＲＱ再送を必要とするかどうかを判断することは、
前記伝送すべきデータを送信する時のネットワーク環境指標値が前記ＨＡＲＱ再送を必要とする場合に対応するネットワーク環境指標閾値を超えるかどうかを検出することと、
超える場合、前記伝送すべきデータに対するＨＡＲＱ再送を行うと決定することと、
超えない場合、前記伝送すべきデータに対するＨＡＱＲ再送を行わないと決定することとを含む。
【００３５】
上記の例では、構成情報によって示す判定規則は、ネットワーク環境指標に基づいて記述され、これらの指標は、具体的には、ネットワーク速度、同期方式、ＣＢＲ、ＰＰＰＰなどを含み得、これらの指標は、現在のネットワーク環境品質を様々な角度及び態様から評価することができ、現在のネットワーク環境品質が低い場合、データ伝送時に高い誤り率をもたらし、したがって、この場合、データ伝送の正確さを保証するために、伝送すべきデータのＨＡＲＱ再送が必要とされる。同様、現在のネットワーク環境の品質が高いと上記の指標で評価された場合、データ伝送の誤り率が低くなるので、伝送すべきデータに対するＨＡＲＱ再送は不要となる。
【００３６】
任意選択で、構成情報によって示す判定規則に基づいて、構成情報は、プロバイダサービス識別子( ＰＳＩＤ，Ｐｒｏｖｉｄｅｒ Ｓｅｒｖｉｃｅ Ｉｄｅｎｔｉｆｉｅｒ ) ／インテリジェント交通システム・アプリケーション識別子( ＩＴＳ−ＡＩＤ、Ｉｎｔｅｌｌｉｇｅｎｔ Ｔｒａｎｓｐｏｒｔａｔｉｏｎ Ｓｙｓｔｅｍｓ Ａｐｐｌｉｃａｔｉｏｎ Ｉｄｅｎｔｉｆｉｅｒ )に対する指示、サービス品質データフロー( ＱｏＳ ｆｌｏｗ )に対する指示、無線リンクベアラに対する指示、ソースアドレス及び／又は目標アドレスに対する指示、論理チャネルに対する指示のうちの少なくとも１つを含む。前記構成情報は、伝送すべきデータがＨＡＲＱを行う必要があるか否かを判断する指示粒度を示し、例えば、ＨＡＲＱ再送の要否は、ＰＳＩＤ ／ ＩＴＳ−ＡＩＤに基づいて判断され、ＨＡＲＱ再送の要否は、ＱｏＳ ｆｌｏｗに基づいて判断され、ＨＡＲＱ再送の要否は、無線リンクベアラに基づいて判断され、ＨＡＲＱ再送の要否は、ソースアドレス及び／又は目標アドレスに基づいて判断され、ＨＡＲＱ再送の要否は、論理チャネルに基づいて判断されてもよい。
【００３７】
上記の選択可能な例では、上記の実装態様において、前記構成情報に基づいて、前記伝送すべきデータがＨＡＲＱ再送を必要とするか否かを判断することは、前記伝送すべきデータに対応するＰＳＩＤ ／ ＩＴＳ−ＡＩＤが、前記構成情報に含まれるＰＳＩＤ ／ ＩＴＳ−ＡＩＤに対する指示におけるＰＳＩＤ ／ ＩＴＳ−ＡＩＤであるか否かを検出し、検出結果に基づいて、前記伝送すべきデータがＨＡＲＱ再送を必要とするか否かを判断することを含んでもよい。したがって、ＱｏＳ ｆｌｏｗに対する指示、無線リンクベアラに対する指示、ソースアドレス及び／又は目標アドレスに対する指示、論理チャネルに対する指示などの構成情報の具体的な実装は、前述のＰＳＩＤ ／ ＩＴＳ−ＡＩＤの説明を参照してもよく、ここでその説明が省略される。
【００３８】
任意選択で、前記構成情報は、ＨＡＲＱ再送を必要とするか否かの指示、信頼度記述情報の指示のうちの少なくとも１つを含み、一例として、構成情報が示す判定規則は、ＨＡＲＱ再送の要否の指示に直接基づいて記述されてもよく、構成情報がＨＡＲＱ再送を必要とする指示である場合、伝送すべきデータはＨＡＲＱ再送の必要であると判定されてもよく、構成情報がＨＡＲＱ再送を必要としない指示である場合、伝送すべきデータはＨＡＲＱ再送の不要と判定されてもよい。別の例として、構成情報によって示す判定規則は、ＨＡＲＱ再送が必要であるかどうかに関する信頼性要求に基づいて記述され、構成情報によって示す判定規則がＨＡＲＱ再送信が必要である場合の信頼性要求に基づいて記述される場合、伝送すべきデータの信頼性要求が構成情報における信頼性記述情報を満たすかどうかが検出され、満たす場合、伝送すべきデータがＨＡＲＱ再送を必要とすると判定され、満たさない場合、伝送すべきデータはＨＡＲＱ再送を行う必要がないと判定され得る。
【００３９】
ある実施形態として、前記構成情報は、ＰＳＩＤ／ＩＴＳ−ＡＩＤに対する指示、ＱｏＳ ｆｌｏｗに対する指示、無線リンクベアラに対する指示、ソースアドレス及び／又は目標アドレスに対する指示、論理チャネルに対する指示のうちの少なくとも１つを含む場合、前記構成情報は、さらに、ＨＡＲＱ再送を必要とするか否かの指示及び／又は信頼度記述情報の指示のうちの少なくとも１つを含む。
【００４０】
本実施形態において、信頼度記述情報は、ＱｏＳ属性を含み、なお、ＱｏＳ属性は、ＱｏＳパラメータ及び／又はＱｏＳパラメータの閾値又は閾値の範囲を含み得る。一例として、ＱｏＳパラメータは、ＱｏＳクラス、優先度、誤り率、伝送成功率などのうち少なくとも１つを含んでもよい。
【００４１】
上記の選択可能な例において、構成情報に基づいて前記伝送すべきデータがＨＡＲＱ再送を必要とするか否かを判定することは、前記伝送すべきデータに対応するＰＳＩＤ ／ ＩＴＳ−ＡＩＤが前記構成情報に含まれるＰＳＩＤ ／ ＩＴＳ−ＡＩＤに対する指示におけるＰＳＩＤ ／ ＩＴＳ−ＡＩＤであるか否かを検出し、前記伝送すべきデータに対応するＰＳＩＤ ／ ＩＴＳ−ＡＩＤが前記構成情報に含まれるＰＳＩＤ ／ ＩＴＳ−ＡＩＤに対する情報におけるＰＳＩＤ ／ ＩＴＳ−ＡＩＤであることが検出された場合、前記構成情報にＰＳＩＤ ／ ＩＴＳ−ＡＩＤに対する指示とＨＡＲＱ再送が必要である指示とが含まれている場合、前記送伝送すべきデータがＨＡＲＱ再送を必要とすると判定し、前記伝送すべきデータに対応するＰＳＩＤ ／ ＩＴＳ−ＡＩＤが前記構成情報に含まれるＰＳＩＤ ／ ＩＴＳ−ＡＩＤに対する指示におけるＰＳＩＤ ／ ＩＴＳ−ＡＩＤでないことが検出された場合、又は、前記伝送すべきデータに対応するＰＳＩＤ ／ ＩＴＳ−ＡＩＤが前記構成情報に含まれるＰＳＩＤ ／ ＩＴＳ−ＡＩＤに対する指示のうちの特定のＰＳＩＤ ／ ＩＴＳ−ＡＩＤであることが検出されるが、前記構成情報にＰＳＩＤ ／ ＩＴＳ−ＡＩＤに対する指示が含まれ、且つＨＡＲＱ再送を必要としない指示が含まれる場合、ＨＡＲＱ再送が不要であると判定する。
【００４２】
上記の選択可能な例では、上記の実施例において、構成情報に基づいて、前記伝送すべきデータがＨＡＲＱ再送を必要とするか否かを判定することは、前記伝送すべきデータに対応するＱｏＳ ｆｌｏｗが、構成情報に含まれるＱｏＳ ｆｌｏｗに対する指示におけるＱｏＳ ｆｌｏｗであるか否かを検出し、前記伝送すべきデータに対応するＱｏＳ ｆｌｏｗが、構成情報に含まれるＱｏＳ ｆｌｏｗに対する指示におけるＱｏＳ ｆｌｏｗであることを検出し、且つ、前記伝送すべきデータに対応するＱｏＳパラメータが、構成情報に含まれるＱｏＳ属性に対する指示におけるＱｏＳ属性を満たし、かつ、前記構成情報にＨＡＲＱ再送を必要とする指示が含まれる場合、前記伝送すべきデータがＨＡＲＱ再送を必要とすると判定し、そうでない場合、前記伝送すべきデータがＨＡＲＱ再送を必要としないと判定することを含み得る。
【００４３】
任意選択で、前記構成情報に基づいて前記伝送すべきデータがＨＡＲＱ再送を必要とするかどうかを判断することは、前記構成情報及びチャネル品質情報の組み合わせとＨＡＲＱ再送パラメータとのマッピング関係に基づいて、前記伝送すべきデータがＨＡＲＱ再送を必要とするかどうかを判定することを含む。
【００４４】
上述選択可能な例では、チャネル品質情報は、ネットワーク環境の優劣を示すために使用されてもよく、チャネル品質情報は、固定符号化率( ＣＢＲ、Ｃｏｎｓｔａｎｔ Ｂｉｔ Ｒａｔｅ )、参照信号受信電力( ＲＳＲＰ、Ｒｅｆｅｒｅｎｃｅ Ｓｉｇｎａｌ Ｒｅｃｅｉｖｉｎｇ Ｐｏｗｅｒ )、参照信号受信品質( ＲＳＲＱ、Ｒｅｆｅｒｅｎｃｅ Ｓｉｇｎａｌ Ｒｅｃｅｉｖｉｎｇ Ｑｕａｌｉｔｙ )、受信信号強度インジケータ( ＲＳＳＩ、Ｒｅｃｅｉｖｅｄ Ｓｉｇｎａｌ Ｓｔｒｅｎｇｔｈ Ｉｎｄｉｃａｔｉｏｎ )、信号対干渉プラス雑音比( ＳＩＮＲ、Ｓｉｇｎａｌ ｔｏ Ｉｎｔｅｒｆｅｒｅｎｃｅ ｐｌｕｓ Ｎｏｉｓｅ Ｒａｔｉｏ )のうちの少なくとも１つを含む。ユーザーデバイスの送信側は、構成情報及び前記チャネル品質情報の組み合わせとＨＡＲＱ再送パラメータとのマッピング関係を予め取得し、構成情報を受信し、前記伝送すべきデータが送信されるときのチャネル品質情報を検出し、受信された構成情報および検出されたチャネル品質情報に従ってマッピング関係を検索して、対応するＨＡＲＱ再送パラメータを取得し、取得されたＨＡＲＱ再送パラメータが０である場合、ＨＡＲＱ再送は不要であると判定され、取得されたＨＡＲＱ再送パラメータが０でない場合、ＨＡＲＱ再送が必要であると判定されてもよい。
【００４５】
この実施例に記載された上記の方法によれば、伝送すべきデータのＨＡＲＱ再送を決定すると、ユーザーデバイスの送信側は、前記伝送すべきデータのＨＡＲＱ伝送モードを決定し、異なるＨＡＲＱ送信モードに基づいて、ユーザーデバイスの送信側は、ＨＡＲＱ伝送モードをユーザーデバイスの受信側に通知する必要があり、それにより、ユーザーデバイスの受信側は、受信したＨＡＲＱ伝送モードに従って、伝送すべきデータ及び伝送すべきデータのＨＡＲＱ再送データとを適切に受信できる。これに基づいて、１つの可能な実施態様では、図３に示す方法は、
前記ユーザーデバイスの受信側に前記伝送すべきデータのＨＡＲＱ伝送モードを送信することを含む。
【００４６】
なお、前記ＨＡＲＱ再送モードは、具体的には、フィードバックを必要としないＨＡＲＱ再送モードと、フィードバックを必要とするＨＡＲＱ再送モードとを含んでもよい。さらに、車両ネットワークにおいて、データの送信及び受信は、多くの場合、車両ネットワーク内の端末間で行われ、したがって、前記伝送すべきデータのＨＡＲＱ伝送モードは、通知情報によって伝送され得、これに基づいて、前記ユーザーデバイスの受信側に前記伝送すべきデータのＨＡＲＱ伝送モードを送信することは、具体的に、
物理サイド制御チャネル（ＰＳＣＣＨ、Ｐｈｙｓｉｃａｌ Ｓｉｄｅｌｉｎｋ Ｃｏｎｔｒｏｌ ＣＨａｎｎｅｌ）及び／又は物理サイド共有チャネル（ＰＳＳＣＨ、Ｐｈｙｓｉｃａｌ Ｓｉｄｅｌｉｎｋ Ｓｈａｒｅｄ ＣＨａｎｎｅｌ）で前記ユーザーデバイスの受信側に前記伝送すべきデータのＨＡＲＱ伝送モードを送信することを含む
具体的に、ＰＳＣＣＨ及び／又はＰＳＳＣＨについて、ユーザーデバイスの送信側は、以下の方式で、伝送すべきデータのＨＡＲＱ伝送モードを送信し、
ＰＳＣＣＨ及び／又はＰＳＳＣＨに搬送されるコンテンツで、前記ユーザーデバイスの受信側に前記伝送すべきデータのＨＡＲＱ伝送モードを送信し、
又は、ＰＳＣＣＨ及び／又はＰＳＳＣＨの時間及び／又は周波数位置で、前記ユーザーデバイスの受信側に前記伝送すべきデータのＨＡＲＱ伝送モードを送信し、
又は、ＰＳＣＣＨ及び／又はＰＳＳＣＨの参照信号で、前記ユーザーデバイスの受信側に前記伝送すべきデータのＨＡＲＱ伝送モードを送信する。
【００４７】
上記の選択可能な例において、ＰＳＳＣＨで前記ユーザーデバイスの受信側に前記伝送すべきデータのＨＡＲＱ伝送モードを送信することは、無線リソース制御（ＲＲＣ、Ｒａｄｉｏ Ｒｅｓｏｕｒｃｅ Ｃｏｎｔｒｏｌ）シグナリング、メディアアクセス制御レイヤー制御ユニット（ＭＡＣ ＣＥ、Ｍｅｄｉａ Ａｃｃｅｓｓ Ｃｏｎｔｒｏｌ Ｃｏｎｔｒｏｌ Ｅｌｅｍｅｎｔ）又はＰＣ５インターフェース信号（ＰＣ５−Ｓ、ＰＣ５ Ｓｉｇｎａｌｉｎｇ）を介して、前記ユーザーデバイスの受信側に前記伝送すべきデータのＨＡＲＱ伝送モードを送信することを含む。ここで、ＰＣ５インタフェースはＶ2Ｘサービス端末間でＤ２Ｄ通信を行うインタフェースである。
【００４８】
上記のＨＡＲＱ伝送モードに基づいて、選択可能な例において、前記ＨＡＲＱ再送モードに応じて、前記伝送すべきデータをユーザーデバイスの受信側に伝送することは、
前記ＨＡＲＱ再送モードが前記フィードバックを必要としないＨＡＲＱ再送モードであることに応じて、ユーザーデバイスの受信側が前記伝送すべきデータに対するフィードバック情報を受信する必要がなく、前記伝送すべきデータと前記伝送すべきデータのＨＡＲＱ再送データを設定された時間及び／又は周波数リソース位置に応じてユーザーデバイスの受信側に直接に送信することを含む。
【００４９】
具体的には、ＨＡＲＱ再送は、ユーザーデバイスの受信側からのフィードバックを必要とせずに行われ、ユーザーデバイスの送信側は、伝送すべきデータの送信後に時間を計測し、時間計測が終了した後に、伝送すべきデータのＨＡＲＱ再送データを送信する必要がある。ユーザーデバイスの送信側は、通知情報の形式で特定のＨＡＲＱ伝送モードをユーザーデバイスの受信側に予め送信できるので、通知情報には、特定の計時時間も含まれ得る。そして、ユーザーデバイスの受信側は、ユーザーデバイスの送信側から送信された伝送すべきデータを受信した後、予め知られている計測時間に基づいて、ユーザーデバイスの送信側から送信された伝送すべきデータのＨＡＲＱ再送データを受信することができる。
【００５０】
上記のＨＡＲＱ伝送モードに基づいて、他の選択可能な例において、前記ＨＡＲＱ再送モードに応じて、前記伝送すべきデータをユーザーデバイスの受信側に伝送することは、
前記ＨＡＲＱ再送モードが前記フィードバックを必要とするＨＡＲＱ再送モードであることに応じて、前記伝送すべきデータを送信した後、前記ユーザーデバイスの受信側により送信されたフィードバック情報を待ち、前記フィードバック情報は、前記伝送すべきデータに対するＨＡＲＱ再送を行うかどうかを示し、
前記フィードバック情報が前記伝送すべきデータに対してＨＡＲＱ再送を行うように指示することに応じて、前記伝送すべきデータのＨＡＲＱ再送データを前記ユーザーデバイスの受信側に送信することを含む
具体的には、ユーザーデバイスの受信側のフィードバックが必要な場合にＨＡＲＱ再送を行う場合、ユーザーデバイスの受信側は、伝送すべきデータを受信した後に、それを誤り検出でき、検出結果が、ユーザーデバイスの受信側が伝送すべきデータを正確に受信していることを示す場合、ユーザーデバイスの送信側は、伝送すべきデータについてＨＡＲＱ再送を行う必要はなく、この場合、ユーザーデバイスの受信側は、ユーザーデバイスの送信側にフィードバックを一切送信せず、ユーザーデバイスの送信側は、伝送すべきデータの送信が完了した後に計時を開始し、計時がタイムアウトする前に、ユーザーデバイスの受信側のフィードバック情報も受信しない場合、伝送すべきデータがユーザーデバイスの受信側によって正しく受信されたことを示し、伝送すべきデータについてＨＡＲＱ再送データは送信されない。タイムアウト前にユーザーデバイスの受信側からフィードバック情報が受信され、フィードバック情報が、伝送すべきデータの受信エラーを示し、伝送すべきデータのＨＡＲＱ再送が必要である場合、ユーザーデバイスの送信側は、伝送すべきデータのＨＡＲＱ再送データを送信する。
【００５１】
なお、具体的な実現において、ユーザーデバイスの受信側は、伝送すべきデータの正しい受信を示すフィードバック情報を、伝送すべきデータの正しい受信のためにユーザーデバイスの送信側に送信することもでき、ユーザーデバイスの送信側は、フィードバック情報を受信した後、伝送すべきデータのＨＡＲＱ再送データを送信しない。この場合、ユーザーデバイスの送信側が、タイムアウト前にフィードバック情報を受信しない場合、伝送すべきデータが正しく受信されないことを意味し、従って、ユーザーデバイスの送信側は、伝送すべきデータのＨＡＲＱ再送データをユーザーデバイスの受信側に送信する。
【００５２】
実施例二
上記の実施例の同様の発明思想に基づいて、図４を参照すると、本発明の実施例におけるデータ伝送方法を示し、前記方法がユーザーデバイスの受信側に応用され、前記方法は、以下のステップを含み、
Ｓ４０１において、ユーザーデバイスの送信側により送信された伝送すべきデータのＨＡＲＱ伝送モードを受信し、
Ｓ４０２において、前記伝送すべきデータのＨＡＲＱ伝送モードに基づいて、前記伝送すべきデータのＨＡＲＱ再送データを受信する。
【００５３】
なお、ユーザーデバイスの送信側は、前記伝送すべきデータのＨＡＲＱ伝送モードのために、通知情報の形式で送信することができる。
【００５４】
図４に示される技術案により、ユーザーデバイスの受信側は、伝送すべきデータのＨＡＲＱ送信モードに基づいて、伝送すべきデータのＨＡＲＱ再送データを受信することによって、伝送すべきデータのすべてに対するＨＡＲＱ再送データの受信を回避し、チャネルリソースの浪費を低減し、チャネルリソース利用率と、送信データの正しい受信収率をバランス化させる。 
図４に示される態様では、車両ネットワークにおいて、データの送信および受信は、多くの場合、車両ネットワーク内の端末間で行われ、したがって、１つの可能な実施態様では、前記ユーザーデバイスの送信側により送信された、伝送すべきデータのＨＡＲＱ伝送モードを受信することは、
前記ユーザーデバイスの送信側により物理サイド制御チャネルＰＳＣＣＨ及び／又は物理サイド共有チャネルＰＳＳＣＨで送信された、前記伝送すべきデータのＨＡＲＱ伝送モードを受信することを含む。
【００５５】
前記ユーザーデバイスの送信側によりＰＳＳＣＨで送信された前記伝送すべきデータのＨＡＲＱ伝送モードを受信することは、前記ユーザーデバイスの送信側がＲＲＣシグナリング、ＭＡＣ ＣＥ又はＰＣ５−Ｓで前記ユーザーデバイスの受信側に送信した前記伝送すべきデータのＨＡＲＱ伝送モードを受信することを含む。
【００５６】
具体的に、ＰＳＣＣＨ及び／又はＰＳＳＣＨについて、前記ユーザーデバイスの送信側によりＰＳＣＣＨ及び／又はＰＳＳＣＨで送信された前記伝送すべきデータのＨＡＲＱ伝送モードを受信することは、
前記ユーザーデバイスの送信側によりＰＳＣＣＨ及び／又はＰＳＳＣＨに搬送されるコンテンツで送信された前記伝送すべきデータのＨＡＲＱ伝送モードを受信すること、
又は、前記ユーザーデバイスの送信側によりＰＳＣＣＨ及び／又はＰＳＳＣＨの時間及び／又は周波数位置で送信された前記伝送すべきデータのＨＡＲＱ伝送モードを受信すること、
又は、前記ユーザーデバイスの送信側によりＰＳＣＣＨ及び／又はＰＳＳＣＨの参照信号で送信された前記伝送すべきデータのＨＡＲＱ伝送モードを受信することを含む。
【００５７】
図４の技術案について、実現可能な形態において、前記ＨＡＲＱ伝送モードは、フィードバックを必要としないＨＡＲＱ再送モード及びフィードバックを必要とするＨＡＲＱ再送モードを含む。
【００５８】
上記の例において、前記ＨＡＲＱ伝送モードがフィードバックを必要としないＨＡＲＱ再送モードであり、好ましくは、前記伝送すべきデータのＨＡＲＱ伝送モードに基づいて、前記伝送すべきデータのＨＡＲＱ再送データを受信することは、
前記ＨＡＲＱ伝送モードが前記フィードバックを必要としないＨＡＲＱ再送モードであることに応じて、前記伝送すべきデータに対するフィードバック情報を送信しなく、設定された時間間隔に応じて、前記ユーザーデバイスの送信側からの前記伝送すべきデータ及び前記伝送すべきデータのＨＡＲＱ再送データを受信する。
【００５９】
具体的には、ＨＡＲＱ再送は、ユーザーデバイスの受信側からのフィードバックを必要とせずに行われ、ユーザーデバイスの送信側は、伝送すべきデータの送信後に時間を計測し、時間計測が終了した後に、伝送すべきデータのＨＡＲＱ再送データを送信する必要がある。ユーザーデバイスの送信側は、通知情報の形式で特定のＨＡＲＱ伝送モードをユーザーデバイスの受信側に予め送信できるので、通知情報には、特定の計時時間も含まれ得る。そして、ユーザーデバイスの受信側は、ユーザーデバイスの送信側から送信された伝送すべきデータを受信した後、予め知られている計測時間に基づいて、ユーザーデバイスの送信側から送信された伝送すべきデータのＨＡＲＱ再送データを受信することができる。さらに、ユーザーデバイスの受信側が、受信した伝送すべきデータ及び伝送すべきデータのＨＡＲＱ再送データに基づいて、伝送すべきデータの実際のデータコンテンツを決定することができる。
【００６０】
以上の形態において、前記ＨＡＲＱ伝送モードがフィードバックを必要とするＨＡＲＱ再送モードである場合、好ましくは、伝送すべきデータのＨＡＲＱ伝送モードに基づいて、前記伝送すべきデータのＨＡＲＱ再送データを受信することは、
前記ＨＡＲＱ伝送モードがフィードバックを必要とする前記ＨＡＲＱ再送モードであることに応じて、前記伝送すべきデータに対するフィードバック情報を送信することと、
前記フィードバック情報が前記伝送すべきデータに対するＨＡＲＱ再送を行うように指示することに応じて、前記ユーザーデバイスの送信側により送信された前記伝送すべきデータのＨＡＲＱ再送データを受信することを含む。
【００６１】
具体的に、前記ＨＡＲＱ伝送モードが前記フィードバックを必要とするＨＡＲＱ再送モードであることに応じて、ユーザーデバイスの受信側は、前記ユーザーデバイスの送信側からの前記伝送すべきデータを受信した後、前記伝送すべきデータの受信状態に基づいてフィードバック情報を生成し、ここで、前記フィードバック情報は、前記伝送すべきデータをＨＡＲＱ再送するかどうかを指示すし、
前記フィードバック情報が前記伝送すべきデータに対するＨＡＲＱ再送を行うように指示することに応じて、前記ユーザーデバイスの送信側により送信された前記伝送すべきデータのＨＡＲＱ再送データを受信する。
【００６２】
具体的には、ユーザーデバイスの送信側がユーザーデバイスの受信側のフィードバックが必要な場合にＨＡＲＱ再送を行う場合、ユーザーデバイスの受信側は、伝送すべきデータを受信した後に、それを誤り検出でき、検出結果が、ユーザーデバイスの受信側が伝送すべきデータを正確に受信していることを示す場合、ユーザーデバイスの送信側は、伝送すべきデータについてＨＡＲＱ再送を行う必要はない。この場合、ユーザーデバイスの受信側は、ユーザーデバイスの送信側にフィードバックを一切送信せず、ユーザーデバイスの送信側は、伝送すべきデータの送信が完了した後に計時を開始し、計時がタイムアウトする前に、ユーザーデバイスの受信側のフィードバック情報も受信しない場合、伝送すべきデータがユーザーデバイスの受信側によって正しく受信されたことを示し、伝送すべきデータについてＨＡＲＱ再送データは送信されない。タイムアウト前にユーザーデバイスの受信側からフィードバック情報が受信され、フィードバック情報が、伝送すべきデータの受信エラーを示し、伝送すべきデータのＨＡＲＱ再送が必要である場合、ユーザーデバイスの送信側は、伝送すべきデータのＨＡＲＱ再送データを送信する。
【００６３】
なお、具体的な実現において、ユーザーデバイスの受信側は、伝送すべきデータの正しい受信を示すフィードバック情報を、伝送すべきデータの正しい受信のためにユーザーデバイスの送信側に送信することもでき、ユーザーデバイスの送信側は、フィードバック情報を受信した後、伝送すべきデータのＨＡＲＱ再送データを送信しない。この場合、ユーザーデバイスの送信側が、タイムアウト前にフィードバック情報を受信しない場合、伝送すべきデータが正しく受信されないことを意味し、従って、ユーザーデバイスの送信側は、伝送すべきデータのＨＡＲＱ再送データをユーザーデバイスの受信側に送信する。
【００６４】
実施例三
上記の実施例の同様の発明思想に基づいて、図５を参照すると、本発明の実施例におけるデータ伝送方法を示し、前記方法がネットワーク側のデバイスに応用され、前記方法は、以下のステップを含み、
Ｓ５０１において、ユーザーデバイスの送信側に構成情報を送信し、ここで、前記構成情報は、伝送すべきデータのハイブリッド自動再送要求ＨＡＲＱ再送モードを決定するために使用される。
【００６５】
ユーザーデバイスの送信側は、構成情報に基づいてＨＡＲＱ再送を行うか否かを決定することにより、伝送すべきデータの全てに対してＨＡＲＱ再送を行う必要がなくなり、チャネルリソースの浪費を回避し、チャネルリソース利用率と送信データの正しい受信率をバランス化させる。
【００６６】
上記の実施例について、具体的な実行過程において、好ましくは、ネットワークプロトコルレイヤの上位デバイスは、設定された要件情報に基づいて当該構成情報を決定してユーザーデバイスの送信側に送信し、又は、好ましくは、アクセスネットワークデバイスは、ＨＡＲＱ再送が必要な条件に基づいて当該構成情報を決定してユーザーデバイスの送信側に送信する。そして、ネットワーク側のデバイスは、ネットワークプロトコルレイヤの上位デバイス又はアクセスネットワークデバイスであっても良い。
【００６７】
なお、構成情報は、ＨＡＲＱ再送を行うか否かの判定規則を示すために使用することができるので、ユーザーデバイスの送信側は、伝送すべきデータの全てを判定規則に従って判定することができる。任意選択で、構成情報が示す決定規則に基づいて、前記構成情報は、目標サービスがＨＡＲＱ再送を必要とする指示、又は、目標アドレスがＨＡＲＱ再送を必要とする指示を含めてもよい。
【００６８】
任意選択で、前記構成情報は、ＰＳＩＤ／ＩＴＳ−ＡＩＤに対する指示、ＱｏＳ ｆｌｏｗに対する指示、無線リンクベアラに対する指示、ソースアドレス及び／又は目標アドレスに対する指示、論理チャネルに対する指示のうちの少なくとも１つを含む。
【００６９】
任意選択で、前記構成情報は、ＨＡＲＱ再送を必要とするか否かの指示、信頼度記述情報の指示のうちの少なくとも１つを含む。
【００７０】
任意選択で、前記構成情報に基づいて前記伝送すべきデータがＨＡＲＱ再送を必要とするかどうかを判断することは、前記構成情報及びチャネル品質情報の組み合わせとＨＡＲＱ再送パラメータとのマッピング関係に基づいて、前記伝送すべきデータがＨＡＲＱ再送を必要とするかどうかを判定することを含む。
【００７１】
任意選択で、構成情報が示す判定規則は、信頼性要求に基づいて記述されるので、構成情報は、目標アドレス、または、目標サービスがＨＡＲＱ再送を必要とする信頼性記述情報を含んでもよい。この実施例ではその説明を省略する。
【００７２】
任意選択で、構成情報が示す判定規則に基づいて、構成情報は、ＨＡＲＱ再送を必要とする時に対応するネットワーク環境指標閾値を含む。
【００７３】
上記の例では、構成情報によって示す判定規則は、ネットワーク環境指標に基づいて記述され、これらの指標は、具体的には、ネットワーク速度、同期方式、ＣＢＲ、ＰＰＰＰなどを含み得、これらの指標は、現在のネットワーク環境品質を様々な角度及び態様から評価することができ、現在のネットワーク環境品質が低い場合、データ伝送時に高い誤り率をもたらし、したがって、この場合、データ伝送の正確さを保証するために、伝送すべきデータのＨＡＲＱ再送が必要とされる。同様、現在のネットワーク環境の品質が高いと上記の指標で評価された場合、データ伝送の誤り率が低くなるので、伝送すべきデータに対するＨＡＲＱ再送は不要となる。
【００７４】
実施例四
上記の実施例の同様の発明思想に基づいて、図６を参照すると、本発明の実施例におけるデータ伝送のフローチャートを示し、このフローチャートは、ネットワーク側のデバイス、ユーザーデバイスの受信側及びユーザーデバイスの送信側を有するネットワーク構成に応用され、以下のステップを含み、
Ｓ６０１において、ネットワーク側のデバイスは、伝送すべきデータのＨＡＲＱ再送に対する構成情報をユーザーデバイスの送信側に送信し、
ここで、前記構成情報は、ＨＡＲＱ再送を行う判定規則を示し、
具体的には、判定規則の根拠となる理由によって、実施過程において、構成情報は、
目標サービスがＨＡＲＱ再送を必要とする指示、又は、目標アドレスがＨＡＲＱ再送を必要とする指示、
又は、目標アドレス又は目標サービスがＨＡＲＱ再送を必要とする信頼度記述情報、
又は、ＨＡＲＱ再送を必要とする特に対応するネットワーク環境指標閾値、
又は、ＰＳＩＤ／ＩＴＳ−ＡＩＤに対する指示、ＱｏＳ ｆｌｏｗに対する指示、無線リンクベアラに対する指示、ソースアドレス及び／又は目標アドレスに対する指示、論理チャネルに対する指示のうちの少なくとも１つ、
又は、ＨＡＲＱ再送を必要とするか否かの指示、信頼度記述情報の指示のうちの少なくとも１つを含む。
【００７５】
上記の具体的な構成情報の説明については、前述の実施例における対応する説明を参照し、ここでその説明を省略する。
【００７６】
Ｓ６０２において、ユーザーデバイスの送信側は、伝送すべきデータのＨＡＲＱ再送に対する構成情報に基づいて、前記伝送すべきデータのＨＡＲＱ再送モードを決定し、
具体的に、ＨＡＲＱ再送モードは、伝送すべきデータに対してＨＡＲＱ再送を行い、又は、伝送すべきデータに対してＨＡＲＱ再送を行わないことを含む。これにより、このステップにおいて、ユーザーデバイスの送信側は、前記伝送すべきデータが前記判定規則を満たすかどうかを判定し、満たす場合、前記伝送すべきデータに対するＨＡＲＱ再送を行うと決定し、満たさない場合、前記伝送すべきデータに対するＨＡＲＱ再送を行わないと決定する。
【００７７】
なお、前記伝送すべきデータに対してＨＡＲＱ再送を行うと決定する場合、ユーザーデバイスの受信側が伝送すべきデータ及び伝送すべきデータのＨＡＲＱ再送データを正しく受信するために、このステップがＳ６０３を含み、ユーザーデバイスの送信側が前記ユーザーデバイスの受信側に前記伝送すべきデータのＨＡＲＱ伝送モードを通知する。
【００７８】
具体的に、前記ＨＡＲＱ伝送モードは、具体的に、フィードバックを必要としないＨＡＲＱ再送モードとフィードバックを必要とするＨＡＲＱ再送モードを含む。さらに、車両ネットワークにおいて、データ送受信が車両ネットワーク内の各端末間に行うことが多く、ステップＳ６０３は、具体的に、
ユーザーデバイスの送信側が物理サイド制御チャネルＰＳＣＣＨ及び／又は物理サイド共有チャネルＰＳＳＣＨで前記ユーザーデバイスの受信側に前記伝送すべきデータのＨＡＲＱ伝送モードを通知することを含む。
【００７９】
２つのＨＡＲＱ伝送モードについて、以下の２つの方式で実現する。
【００８０】
前記ＨＡＲＱ再送モードが前記フィードバックを必要としないＨＡＲＱ再送モードであることに応じて、図６の破線によって示される方式１を参照すると、
Ｓ６０４Ａにおいて、ユーザーデバイスの送信側は、前記伝送すべきデータ及び前記伝送すべきデータのＨＡＲＱ再送データを、設定された時間及び／又は周波数リソース位置に応じて、ユーザーデバイスの受信側に送信する。
【００８１】
したがって、ユーザーデバイスの受信側は、設定された時間間隔に応じて前記ユーザーデバイスの送信側により送信された前記伝送すべきデータ及び前記伝送すべきデータのＨＡＲＱ再送データを受信する。
【００８２】
前記ＨＡＲＱ伝送モードが前記フィードバックを必要とするＨＡＲＱ再送モードであることに応じて、図６の破線によって示される方式２を参照すると
Ｓ６０４Ｂにおいて、ユーザーデバイスの送信側がユーザーデバイスの受信側に伝送すべきデータを送信し、
なお、ユーザーデバイスの送信側が送信した後、前記ユーザーデバイスの受信側からのフィードバック情報を待ち、
Ｓ６０５Ｂにおいて、ユーザーデバイスの受信側は前記伝送すべきデータの受信状態に基づいてフィードバック情報を生成し、ここで、前記フィードバック情報は、前記伝送すべきデータに対してＨＡＲＱ再送を行うかどうかを指示し、
Ｓ６０６Ｂにおいて、ユーザーデバイスの受信側がユーザーデバイスの送信側に前記フィードバック情報を送信し、
Ｓ６０７Ｂにおいて、前記フィードバック情報が前記伝送すべきデータに対してＨＡＲＱ再送を行うように指示することに応じて、ユーザーデバイスの送信側は、前記伝送すべきデータのＨＡＲＱ再送データを前記ユーザーデバイスの受信側に送信する。
【００８３】
この実施例における各ステップの詳細な説明は、前述の実施例１〜実施例３を参照してもよいことが理解され、この実施例ではこれ説明を省略する。
【００８４】
実施例五
上記の実施例の同様の発明思想に基づいて、図７Ａを参照し、本発明の実施例におけるユーザーデバイスの送信側７０を示し、決定部７０１及び伝送部７０２を含み、ここで、
前記決定部７０１は、伝送すべきデータのＨＡＲＱ再送に対する構成情報に基づいて、前記伝送すべきデータのＨＡＲＱ再送モードを決定するように構成され、
前記伝送部７０２は、前記ＨＡＲＱ再送モードに応じて、前記伝送すべきデータをユーザーデバイスの受信側に伝送するように構成される。
【００８５】
上記の形態において、前記決定部７０１は、
前記構成情報を受信し、構成情報に基づいて前記伝送すべきデータがＨＡＲＱ再送を必要とするかどうかを判定するように構成される。
【００８６】
上記の形態において、前記構成情報は、目標サービスがＨＡＲＱ再送を必要とする指示、又は、目標アドレスがＨＡＲＱ再送を必要とする指示を含み、
したがって、前記決定部７０１は、前記伝送すべきデータには目標サービスがＨＡＲＱ再送を必要とする指示又は前記目標アドレスがＨＡＲＱ再送を必要とする指示が含まれるかどうかを検出し、
含まれる場合、前記伝送すべきデータに対するＨＡＲＱ再送を行うと決定し、
含まれない場合、前記伝送すべきデータに対するＨＡＱＲ再送を行わないと決定するように構成される。
【００８７】
上記の形態において、前記構成情報は、ＰＳＩＤ／ＩＴＳ−ＡＩＤに対する指示、ＱｏＳ ｆｌｏｗに対する指示、無線リンクベアラに対する指示、ソースアドレス及び／又は目標アドレスに対する指示、論理チャネルに対する指示のうちの少なくとも１つを含む。
【００８８】
上記の形態において、前記構成情報は、ＨＡＲＱ再送を必要とするか否かの指示、信頼度記述情報の指示のうちの少なくとも１つを含む。
【００８９】
上記の形態において、前記決定部７０１は、前記構成情報及びチャネル品質情報の組み合わせとＨＡＲＱ再送パラメータとのマッピング関係に基づいて、前記伝送すべきデータがＨＡＲＱ再送を必要とするかどうかを判定するように構成される。
【００９０】
上記の形態において、前記構成情報は、目標アドレス又は目標サービスがＨＡＲＱ再送を必要とする信頼度記述情報を含む。
【００９１】
したがって、前記決定部７０１は、前記伝送すべきデータの信頼度要求が前記目標アドレス又は目標サービスがＨＡＲＱ再送を必要とする信頼度記述情報を満たすかどうかを検出し、
満たす場合、前記伝送すべきデータに対するＨＡＲＱ再送を行うと決定し、
満たさない場合、前記伝送すべきデータに対するＨＡＲＱ再送を行わないと決定するように構成される。
【００９２】
上記の形態において、前記構成情報は、ＨＡＲＱ再送を必要とする場合に対応するネットワーク環境指標閾値を含み、
したがって、前記決定部７０１は、前記伝送すべきデータを送信する時のネットワーク環境指標値が前記ＨＡＲＱ再送を必要とする場合に対応するネットワーク環境指標閾値を超えるかどうかを検出し、
超える場合、前記伝送すべきデータに対するＨＡＲＱ再送を行うと決定し、
超えない場合、前記伝送すべきデータに対するＨＡＱＲ再送を行わないと決定するように構成される。
【００９３】
上記の形態において、図７Ｂを参照すると、前記ユーザーデバイスの送信側７０は、さらに、第１の受信部７０３を含み、第１の受信部７０３は、前記ユーザーデバイスの受信側に前記伝送すべきデータのＨＡＲＱ伝送モードを送信するように構成される。
【００９４】
上記の形態において、前記第１の受信部７０３は、
物理サイド制御チャネルＰＳＣＣＨ及び／又は物理サイド共有チャネルＰＳＳＣＨで前記ユーザーデバイスの受信側に前記伝送すべきデータのＨＡＲＱ伝送モードを送信するように構成される。
【００９５】
上記の形態において、前記第１の受信部７０３は、ＲＲＣシグナリング、ＭＡＣ ＣＥ又はＰＣ５−Ｓで、前記ユーザーデバイスの受信側に前記伝送すべきデータのＨＡＲＱ伝送モードを送信するように構成される。
【００９６】
上記の形態において、前記第１の受信部７０３は、ＰＳＣＣＨ及び／又はＰＳＳＣＨに搬送されるコンテンツで前記ユーザーデバイスの受信側に前記伝送すべきデータのＨＡＲＱ伝送モードを送信し、
又は、ＰＳＣＣＨ及び／又はＰＳＳＣＨの時間又は周波数位置で前記ユーザーデバイスの受信側に前記伝送すべきデータのＨＡＲＱ伝送モードを送信し、
又は、ＰＳＣＣＨ及び／又はＰＳＳＣＨの参照信号で前記ユーザーデバイスの受信側に前記伝送すべきデータのＨＡＲＱ伝送モードを送信するように構成される。
【００９７】
上記の形態において、前記ＨＡＲＱ伝送モードは、フィードバックを必要としないＨＡＲＱ再送モード及びフィードバックを必要とするＨＡＲＱ再送モードを含む。
【００９８】
上記の形態において、前記伝送部７０２は、
前記ＨＡＲＱ再送モードが前記フィードバックを必要としないＨＡＲＱ再送モードであることに応じて、ユーザーデバイスの受信側が前記伝送すべきデータに対するフィードバック情報を受信しなく、前記伝送すべきデータと前記伝送すべきデータのＨＡＲＱ再送データを設定された時間及び／又は周波数位置に応じてユーザーデバイスの受信側に直接送信するように構成される。
【００９９】
上記の形態において、前記伝送部７０２は、
前記ＨＡＲＱ再送モードが前記フィードバックを必要とするＨＡＲＱ再送モードであることに応じて、前記伝送すべきデータを送信した後、前記ユーザーデバイスの受信側により送信されたフィードバック情報を待ち、前記フィードバック情報は、前記伝送すべきデータに対してＨＡＲＱ再送を行うかどうかを示し、
前記フィードバック情報が、前記伝送すべきデータをＨＡＲＱ再送するように指示し、前記伝送すべきデータのＨＡＲＱ再送データを前記ユーザーデバイスの受信側に送信する。
【０１００】
この実施例において、「部分」は、回路の一部、プロセッサの一部、プログラムの一部、またはソフトウェアの一部などであってもよく、もちろん、ユニットであってもよく、モジュールであってもよく、非モジュールであってもよい。
【０１０１】
また、本実施例における各構成要素は、１つの処理装置に集積されていてもよいし、各構成要素が物理的に別々に存在していてもよいし、２つ以上の構成要素が１つの処理装置に集積されていてもよい。上記統合されたユニットは、ハードウェアの形態で実現されてもよいし、ソフトウェア機能ブロックの形態で実現されてもよい。
【０１０２】
統合されたユニットは、ソフトウェア機能モジュールの形態で実現され、独立した製品として販売又は使用されない場合、コンピュータ読み取り可能な記憶媒体に記憶されてもよく、そのような理解に基づいて、この実施例の技術的解決策の本質又は従来技術に寄与する部分、又は技術的解決策の全部又は一部は、１つの記憶媒体に記憶されたソフトウェア製品の形態で具現化されてもよく、コンピュータ装置(パーソナルコンピュータ、サーバ、又はネットワーク装置などであってもよい)又はｐｒｏｃｅｓｓｏｒ (プロセッサ)にこの実施例に記載の方法のステップの全部又は一部を実行させるための複数の命令を含む。なお、前記記憶媒体としては、U-ディスク、リムーバブルハードディスク、リードオンリーメモリ( ＲＯＭ、Ｒｅａｄ Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１０３】
したがって、この実施例は、少なくとも１つのプロセッサによって実行されると、上述の実施例１に記載の方法のステップを実現するデータ伝送のプログラムを記憶したコンピュータ記憶媒体を提供する。
【０１０４】
図８は、本発明の実施例におけるユーザーデバイスの送信側７０の具体的なハードウェア構成を示す図であり、上述したユーザーデバイスの送信側７０とコンピュータ記憶媒体とに基づいて、第１のネットワークインタフェース８０１、第１のメモリ８０２、第１のプロセッサ８０３を備え、各構成要素は、バスシステム８０４を介して接続されている。バスシステム８０４は、これらの構成要素間の接続通信を可能にするために使用されることが理解されよう。バスシステム８０４は、データバスの他に、電源バス、制御バス、ステータス信号バスなどを有する。ただし、説明を分かりやすくするために、図８では、様々なバスをバスシステム８０４と表記している。第１のネットワークインタフェース８０１は、他の外部ネットワークとの間で情報を送受信する際に、信号の送受信を行い、
第１のメモリ８０２は、第１のプロセッサ８０３で実行可能なコンピュータプログラムを記憶し、
第１のプロセッサ８０３は、前記コンピュータプログラムを実行する場合、
伝送すべきデータのハイブリッド自動再送要求ＨＡＲＱ再送に対する構成情報に基づいて、前記伝送すべきデータのＨＡＲＱ再送モードを決定し、前記ＨＡＲＱ再送モードに基づいて、伝送すべきデータをユーザーデバイスの受信側に伝送するように構成される。
【０１０５】
なお、本発明の実施例における第１メモリ８０２は、揮発性メモリであっても不揮発性メモリであってもよく、揮発性メモリと不揮発性メモリの両方を含んでもよい。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、RＡMは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ ）、ダブルデータレートシンクロナスダイナミックランダムアクセスメモリ( Ｄｏｕｂｌｅ Ｄａｔａ Ｒａｔｅ ＳＤＲＡＭ、ＤＤＲＳＤＲＡＭ )、拡張シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲＲＡＭ )など、多くの形態で利用可能である。本明細書に記載されるシステムおよび方法の第１のメモリ８０２は、これらおよび任意の他の適切なタイプのメモリを含むことが意図されるが、これらに限定されない。
【０１０６】
第１のプロセッサ８０３は、信号の処理能力を有する集積回路チップであってもよい。実施において、方法のステップは、第１のプロセッサ８０３内のハードウェアの集積論理回路またはソフトウェア形態の命令によって実行され得る。上述の第１のプロセッサ８０３は、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ ）、既存のプログラマブルゲートアレイ( Ｆｉｅｌｄ Ｐｒｏｇｒａｍｍａｂｌｅ Ｇａｔｅ Ａｒｒａｙ、ＦＰＧＡ  )又は他のプログラマブル論理デバイス、ディスクリートゲート又はトランジスタロジック、ディスクリートハードウェアコンポーネントであってもよい。本発明の実施例に開示された方法、ステップ、および論理ブロック図は、実施され得るか、または実行され得る。汎用プロセッサはマイクロプロセッサであってもよく、プロセッサは任意の従来のプロセッサなどであってもよい。本発明の実施例に関連して開示された方法のステップは、ハードウェアデコーディングプロセッサ実行として直接具体化され得るか、または、デコーディングプロセッサ内のハードウェアおよびソフトウェアモジュールの組み合わせで実行され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、第１のメモリ８０２に配置され、第１のプロセッサ８０３は、第１のメモリ８０２内の情報を読み出し、そのハードウェアとともに、上述した方法のステップを実行する。
【０１０７】
本明細書に記載される実施例は、ハードウェア、ソフトウェア、ファームウェア、ミドルウェア、マイクロコード、またはそれらの組み合わせで実装され得ることが理解されよう。ハードウェア実装の場合、処理ユニットは、１つ又は複数の特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔｓ、ＡＳＩＣ )、デジタル信号プロセッサ( Ｄｉｇｉｔａｌ Ｓｉｇｎａｌ Ｐｒｏｃｅｓｓｉｎｇ、ＤＳＰ )、デジタル信号処理デバイス( ＤＳＰ Ｄｅｖｉｃｅ、ＤＳＰＤ )、プログラマブル論理デバイス( Ｐｒｏｇｒａｍｍａｂｌｅ Ｌｏｇｉｃ Ｄｅｖｉｃｅ、ＰＬＤ ）、フィールドプログラマブルゲートアレイ( Ｆｉｅｌｄ−Ｐｒｏｇｒａｍｍａｂｌｅ Ｇａｔｅ Ａｒｒａｙ、ＦＰＧＡ  )、汎用プロセッサ、コントローラ、マイクロコントローラ、マイクロプロセッサ、本明細書に記載される機能を実行するための他の電子ユニット、又はそれらの組み合わせで実装されてもよい。
【０１０８】
ソフトウェア実装の場合、本明細書に説明される技術は、本明細書に説明される機能を実行するモジュール(例えば、プロセス、関数など)によって実装され得る。ソフトウェアコードは、メモリに記憶され、プロセッサによって実行され得る。メモリは、プロセッサ内に実装されてもよく、またはプロセッサの外部に実装されてもよい。
【０１０９】
具体的には、ユーザーデバイスの送信側７０の第１のプロセッサ８０３は、コンピュータプログラムを実行することによって、前述の実施例１に記載の方法ステップを実行するように更に構成され、ここでその説明が省略される。
【０１１０】
実施例六
上記の実施例の同様の発明思想に基づいて、図９を参照すると、本発明の実施例におけるユーザーデバイスの受信側９０の構成を示し、第２の受信部９０１及び第３の受信部９０２を含み、ここで、 
前記第２の受信部９０１は、ユーザーデバイスの送信側により送信された、伝送すべきデータのＨＡＲＱ伝送モードを受信するように構成され、
前記第３の受信部９０２は、前記伝送すべきデータのＨＡＲＱ伝送モードに基づいて、前記伝送すべきデータのＨＡＲＱ再送データを受信するように構成される。
【０１１１】
上記の形態において、前記第２の受信部９０１は、
前記ユーザーデバイスの送信側により物理サイド制御チャネルＰＳＣＣＨ及び／又は物理サイド共有チャネルＰＳＳＣＨで送信された、前記伝送すべきデータのＨＡＲＱ伝送モードを受信するように構成される。
【０１１２】
上記の形態において、前記第２の受信部９０１は、前記ユーザーデバイスの送信側がＲＲＣシグナリング、ＭＡＣ ＣＥ又はＰＣ５−Ｓで前記ユーザーデバイスの受信側に送信した前記伝送すべきデータのＨＡＲＱ伝送モードを受信することを含む。
【０１１３】
具体的に、前記第２の受信部９０１は、
前記ユーザーデバイスの送信側によりＰＳＣＣＨ及び／又はＰＳＳＣＨに搬送されるコンテンツで送信された前記伝送すべきデータのＨＡＲＱ伝送モードを受信し、
又は、前記ユーザーデバイスの送信側によりＰＳＣＣＨ及び／又はＰＳＳＣＨの時間及び／又は周波数位置で送信された前記伝送すべきデータのＨＡＲＱ伝送モードを受信し、
又は、前記ユーザーデバイスの送信側によりＰＳＣＣＨ及び／又はＰＳＳＣＨの参照信号で送信された前記伝送すべきデータのＨＡＲＱ伝送モードを受信するように構成される。
【０１１４】
上記の形態において、前記ＨＡＲＱ伝送モードは、フィードバックを必要としないＨＡＲＱ再送モード及びフィードバックを必要とするＨＡＲＱ再送モードを含む。
【０１１５】
上記の形態において、前記第３の受信部９０２は、
前記ＨＡＲＱ伝送モードが前記フィードバックを必要としないＨＡＲＱ再送モードであることに応じて、前記伝送すべきデータに対するフィードバック情報を送信しないように構成される。具体的に、設定された時間間隔に応じて前記ユーザーデバイスの送信側により送信された前記伝送すべきデータと前記伝送すべきデータのＨＡＲＱ再送データを受信する。
【０１１６】
上記の形態において、前記第３の受信部９０２は、
前記ＨＡＲＱ伝送モードがフィードバックを必要とする前記ＨＡＲＱ再送モードであることに応じて、前記伝送すべきデータに対するフィードバック情報を送信し、
前記フィードバック情報が前記伝送すべきデータに対するＨＡＲＱ再送を行うように指示することに応じて、前記ユーザーデバイスの送信側により送信された前記伝送すべきデータのＨＡＲＱ再送データを受信するように構成される。具体的に、第３の受信部９０２は、前記ユーザーデバイスの送信側により送信された前記伝送すべきデータを受信した後、前記伝送すべきデータの受信状態に基づいてフィードバック情報を生成し、ここで、前記フィードバック情報は、前記伝送すべきデータをＨＡＲＱ再送するかどうかを示し、
前記フィードバック情報が前記伝送すべきデータに対するＨＡＲＱ再送を行うように指示することに応じて、前記ユーザーデバイスの送信側により送信された前記伝送すべきデータのＨＡＲＱ再送データを受信するように構成される。
【０１１７】
さらに、この実施例は、少なくとも１つのプロセッサによって実行されると、上述の実施例２に記載の方法のステップを実現するデータ伝送のプログラムを記憶したコンピュータ記憶媒体を提供する。コンピュータ記憶媒体の具体的な説明については、実施例５の説明を参照することとし、ここではその説明を省略する。
【０１１８】
上述したユーザーデバイスの受信側９０と、コンピュータ記憶媒体とに基づいて、図１０は、本発明の実施例によるユーザーデバイスの受信側９０の具体的なハードウェア構成を示す図であり、第２のネットワークインタフェース１００１、第２のメモリ１００２、第２のプロセッサ１００３を備え、各構成要素は、バスシステム１００４を介して接続される。バスシステム１００４は、これらの構成要素間の接続通信を可能にするために使用されることが理解される。バスシステム１００４は、データバスの他に、電源バス、制御バス、ステータス信号バスを有する。ただし、説明を分かりやすくするために、図１０では、様々なバスをバスシステム１００４と表記している。第２のネットワークインタフェース１００１は、他の外部ネットワークとの間で情報を送受信する際に、信号の送受信を行い、
第２のメモリ１００２は、第２のプロセッサ１００３で実行可能なコンピュータプログラムを記憶し
第２のプロセッサ１００３は、コンピュータプログラムを実行する場合、
ユーザーデバイスの送信側により送信された、伝送すべきデータのＨＡＲＱ伝送モードを受信し、
前記伝送すべきデータのＨＡＲＱ伝送モードに基づいて、前記伝送すべきデータのＨＡＲＱ再送データを受信するように構成される。
【０１１９】
なお、この実施例におけるユーザーデバイスの受信側９０の具体的なハードウェア構成は、実施例５と同様であるため、その説明を省略する。
【０１２０】
具体的には、ユーザーデバイスの受信側９０の第２のプロセッサ１００３は、コンピュータプログラムを実行することにより、前述の実施例２に記載の方法ステップを実行するように更に構成され、ここでその説明が省略される。
【０１２１】
実施例七
上記の実施例の同様の発明思想に基づいて、図１１を参照すると、本発明の実施例におけるネットワーク側のデバイス１１０の構成を示し、送信部１１０１を含み、ユーザーデバイスの送信側に構成情報を送信するように構成され、ここで、前記構成情報は、伝送すべきデータのハイブリッド自動再送要求ＨＡＲＱ再送モードを決定する。
【０１２２】
上記の形態において、前記構成情報は、目標サービスがＨＡＲＱ再送を必要とする指示、又は、目標アドレスがＨＡＲＱ再送を必要とする指示を含む。
【０１２３】
上記の形態において、前記構成情報は、ＨＡＲＱ再送を必要とする場合に対応するネットワーク環境指標閾値を含む。
【０１２４】
さらに、この実施例は、少なくとも１つのプロセッサによって実行されると、上記の実施例３に記載の方法のステップを実現するデータ伝送のプログラムを記憶したコンピュータ記憶媒体を提供する。コンピュータ記憶媒体の具体的な説明については、実施例５の説明を参照することとし、ここではその説明を省略する。
【０１２５】
本発明の実施例に係るネットワーク側のデバイス１１０及びコンピュータ記憶媒体に基づいて、図１２はネットワーク側のデバイス１１０の具体的なハードウェア構成を示し、第３のネットワークインタフェース１２０１、第３のメモリ１２０２及び第３のプロセッサ１２０３を備え、各構成要素は、バスシステム１２０４を介して接続される。バスシステム１２０４は、これらのコンポーネント間の接続通信を可能にするために使用されることが理解されよう。バスシステム１２０４は、データバスの他に、電源バス、制御バス、ステータス信号バスなどを含む。ただし、説明を分かりやすくするために、図１２では、様々なバスをバスシステム１２０４と表記している。第３のネットワークインタフェース１２０１は、他の外部ネットワークとの間で情報を送受信する際に、信号の送受信を行、
第３のメモリ１２０２は、第３のプロセッサ１２０３で実行可能なコンピュータプログラムを記憶し、
第３のプロセッサ１２０３は、コンピュータプログラムを実行する場合、ユーザーデバイスの送信側に構成情報を送信するように構成され、ここで、前記構成情報は、伝送すべきデータのハイブリッド自動再送要求ＨＡＲＱ再送モードを決定する。
【０１２６】
任意選択で、前記構成情報は、目標サービスがＨＡＲＱ再送を必要とする指示、又は、目標アドレスがＨＡＲＱ再送を必要とする指示を含む。
【０１２７】
任意選択で、前記構成情報は、ＨＡＲＱ再送を必要とする場合に対応するネットワーク環境指標閾値を含む。
【０１２８】
上記の実施例に基づいて、図１３を参照すると、本発明の実施例によるデータ伝送システム１３０が示されており、Ｄ２Ｄに適用される端末及びネットワーク側のデバイスを含み、Ｖ２Ｘ技術に適用される端末及びネットワーク側のデバイスを含んでもよい。第１の端末１３０１及び第２の端末１３０２と、ネットワーク側のデバイス１３０３とを備え、第１の端末１３０１は、前述の実施例のいずれかに記載のユーザデバイスの送信側７０であり、第２の端末１３０２は、前述の実施例のいずれかに記載のユーザデバイスの受信側９０であり、ネットワーク側のデバイスは、前述の実施例のいずれかに記載のネットワーク側のデバイス１１０である。
【０１２９】
以上の説明は、本発明の好適な実施例に過ぎず、本発明の範囲を限定するものではない。
【産業上の利用可能性】
【０１３０】
本発明の実施例では、構成情報に基づいて伝送すべきデータのＨＡＲＱ再送モードを決定し、ＨＡＲＱ再送モードに従って伝送すべきデータを伝送することにより、伝送すべきデータの全てにＨＡＲＱ再送を適用する必要がなく、チャネルリソースの浪費を回避し、チャネルリソース利用率と送信データの正確率とをバランス化させる。
【手続補正２】
【補正対象書類名】特許請求の範囲
【補正対象項目名】全文
【補正方法】変更
【補正の内容】
【特許請求の範囲】
【請求項１】
デバイスツーデバイス（Ｄ２Ｄ）サイドリンク（ＳＬ）伝送システムにおけるユーザーデバイスの送信側に応用されるデータ伝送方法であって、
論理チャネルに対する指示を取得することと
論理チャネルに対する指示に基づいて、伝送すべきデータのフィードバックを必要としない又はフィードバックを必要とするハイブリッド自動再送要求ＨＡＲＱ再送を決定することと、
決定結果に応じて、前記伝送すべきデータをユーザーデバイスの受信側に伝送することとを含む
ことを特徴とするデータ伝送方法。
【請求項２】
論理チャネルに対する指示に基づいて、伝送すべきデータのフィードバックを必要としない又はフィードバックを必要とするハイブリッド自動再送要求ＨＡＲＱ再送を決定することは、
前記論理チャネルに対する指示を受信し、前記論理チャネルに対する指示に基づいて前記伝送すべきデータがＨＡＲＱ再送を必要とするかどうかを判断することを含む
ことを特徴とする請求項１に記載のデータ伝送方法。
【請求項３】
前記論理チャネルに対する指示は、目標サービスがＨＡＲＱ再送を必要とする指示、又は、目標アドレスがＨＡＲＱ再送を必要とする指示を含む
ことを特徴とする請求項１又は２に記載のデータ伝送方法。
【請求項４】
前記論理チャネルに対する指示は、
ＨＡＲＱ再送を必要とするか否かの指示、
信頼度記述情報の指示のうちの少なくとも１つを含む
ことを特徴とする請求項１又は２に記載のデータ伝送方法。
【請求項５】
前記論理チャネルに対する指示に基づいて前記伝送すべきデータがＨＡＲＱ再送を必要とするかどうかを判断することは、
前記伝送すべきデータには目標サービスがＨＡＲＱ再送を必要とする指示又は前記目標アドレスがＨＡＲＱ再送を必要とする指示が含まれるかどうかを検出することと、
含まれる場合、前記伝送すべきデータに対するＨＡＲＱ再送を行うと決定することと、
含まれない場合、前記伝送すべきデータに対するＨＡＱＲ再送を行わないと決定することとを含む
ことを特徴とする請求項２に記載のデータ伝送方法。
【請求項６】
前記論理チャネルに対する指示に基づいて前記伝送すべきデータがＨＡＲＱ再送を必要とするかどうかを判断することは、
前記論理チャネルに対する指示及びチャネル品質情報の組み合わせとＨＡＲＱ再送パラメータとのマッピング関係に基づいて、前記伝送すべきデータがＨＡＲＱ再送を必要とするかどうかを判定することを含む
ことを特徴とする請求項２に記載のデータ伝送方法。
【請求項７】
前記論理チャネルに対する指示は、目標アドレス又は目標サービスがＨＡＲＱ再送を必要とする信頼度記述情報を含む
ことを特徴とする請求項１又は２に記載のデータ伝送方法。
【請求項８】
前記論理チャネルに対する指示に基づいて前記伝送すべきデータがＨＡＲＱ再送を必要とするかどうかを判断することは、
前記伝送すべきデータの信頼度要求が前記目標アドレス又は目標サービスがＨＡＲＱ再送を必要とする信頼度記述情報を満たすかどうかを検出することと、
満たす場合、前記伝送すべきデータに対するＨＡＲＱ再送を行うと決定することと、
満たさない場合、前記伝送すべきデータに対するＨＡＲＱ再送を行わないと決定することとを含む
ことを特徴とする請求項７に記載のデータ伝送方法。
【請求項９】
前記論理チャネルに対する指示は、ＨＡＲＱ再送を必要とする場合に対応するネットワーク環境指標閾値を含む
ことを特徴とする請求項２に記載のデータ伝送方法。
【請求項１０】
前記論理チャネルに対する指示に基づいて前記伝送すべきデータがＨＡＲＱ再送を必要とするかどうかを判断することは、
前記伝送すべきデータを送信する時のネットワーク環境指標値が前記ＨＡＲＱ再送を必要とする場合に対応するネットワーク環境指標閾値を超えるかどうかを検出することと、
超える場合、前記伝送すべきデータに対するＨＡＲＱ再送を行うと決定することと、
超えない場合、前記伝送すべきデータに対するＨＡＱＲ再送を行わないと決定することとを含む
ことを特徴とする請求項９に記載のデータ伝送方法。
【請求項１１】
前記方法は、さらに、
前記ユーザーデバイスの受信側に前記伝送すべきデータのＨＡＲＱ伝送モードを送信することを含む
ことを特徴とする請求項１に記載のデータ伝送方法。
【請求項１２】
前記ユーザーデバイスの受信側に前記伝送すべきデータのＨＡＲＱ伝送モードを送信することは、
物理サイド制御チャネルＰＳＣＣＨ及び／又は物理サイド共有チャネルＰＳＳＣＨで前記ユーザーデバイスの受信側に前記伝送すべきデータのＨＡＲＱ伝送モードを送信することを含む
ことを特徴とする請求項１１に記載のデータ伝送方法。
【請求項１３】
ＰＳＳＣＨで前記ユーザーデバイスの受信側に前記伝送すべきデータのＨＡＲＱ伝送モードを送信することは、
無線リソース制御ＲＲＣシグナリング、メディアアクセス制御レイヤ制御ユニットＭＡＣ ＣＥ、又はＰＣ５インタフェース信号ＰＣ５−Ｓで、前記ユーザーデバイスの受信側に前記伝送すべきデータのＨＡＲＱ伝送モードを送信することを含む
ことを特徴とする請求項１２に記載のデータ伝送方法。
【請求項１４】
前記物理サイド制御チャネルＰＳＣＣＨ及び／又は物理サイド共有チャネルＰＳＳＣＨで前記ユーザーデバイスの受信側に前記伝送すべきデータのＨＡＲＱ伝送モードを送信することは、
ＰＳＣＣＨ及び／又はＰＳＳＣＨに搬送されるコンテンツで、前記ユーザーデバイスの受信側に前記伝送すべきデータのＨＡＲＱ伝送モードを送信すること、
又は、ＰＳＣＣＨ及び／又はＰＳＳＣＨの時間及び／又は周波数位置で、前記ユーザーデバイスの受信側に前記伝送すべきデータのＨＡＲＱ伝送モードを送信すること、
又は、ＰＳＣＣＨ及び／又はＰＳＳＣＨの参照信号で、前記ユーザーデバイスの受信側に前記伝送すべきデータのＨＡＲＱ伝送モードを送信することを含む
ことを特徴とする請求項１２に記載のデータ伝送方法。
【請求項１５】
ネットワークインタフェースと、メモリと、プロセッサとを備えるユーザーデバイスの送信側であって、
前記ネットワークインタフェースは、他の外部ネットワーク要素との間でメッセージを送受信する過程において、信号の送受信を行うように構成され、
前記メモリは、前記プロセッサ上で実行可能なコンピュータプログラムを記憶するように構成され、
前記プロセッサは、前記コンピュータプログラムを実行する際に、請求項１から１４のいずれか１項に記載の方法のステップを実行するように構成されている
ことを特徴とするユーザーデバイスの送信側。
【手続補正３】
【補正対象書類名】図面
【補正対象項目名】図１
【補正方法】変更
【補正の内容】
【図１】
2021513266.tif 000001
【手続補正４】
【補正対象書類名】図面
【補正対象項目名】図２
【補正方法】変更
【補正の内容】
【図２】
2021513266.tif 000002
【手続補正５】
【補正対象書類名】図面
【補正対象項目名】図３
【補正方法】変更
【補正の内容】
【図３】
2021513266.tif 000003
【手続補正６】
【補正対象書類名】図面
【補正対象項目名】図４
【補正方法】変更
【補正の内容】
【図４】
2021513266.tif 000004
【手続補正７】
【補正対象書類名】図面
【補正対象項目名】図５
【補正方法】変更
【補正の内容】
【図５】
2021513266.tif 000005
【手続補正８】
【補正対象書類名】図面
【補正対象項目名】図６
【補正方法】変更
【補正の内容】
【図６】
2021513266.tif 000006
【手続補正９】
【補正対象書類名】図面
【補正対象項目名】図７Ａ
【補正方法】変更
【補正の内容】
【図７Ａ】
2021513266.tif 000007
【手続補正１０】
【補正対象書類名】図面
【補正対象項目名】図７Ｂ
【補正方法】変更
【補正の内容】
【図７Ｂ】
2021513266.tif 000008
【手続補正１１】
【補正対象書類名】図面
【補正対象項目名】図８
【補正方法】変更
【補正の内容】
【図８】
2021513266.tif 000009
【手続補正１２】
【補正対象書類名】図面
【補正対象項目名】図９
【補正方法】変更
【補正の内容】
【図９】
2021513266.tif 000010
【手続補正１３】
【補正対象書類名】図面
【補正対象項目名】図１０
【補正方法】変更
【補正の内容】
【図１０】
2021513266.tif 000011
【手続補正１４】
【補正対象書類名】図面
【補正対象項目名】図１１
【補正方法】変更
【補正の内容】
【図１１】
2021513266.tif 000012
【手続補正１５】
【補正対象書類名】図面
【補正対象項目名】図１２
【補正方法】変更
【補正の内容】
【図１２】
2021513266.tif 000013
【手続補正１６】
【補正対象書類名】図面
【補正対象項目名】図１３
【補正方法】変更
【補正の内容】
【図１３】
2021513266.tif 000014